(57)【要約】【課題】遊技領域の下縁側のスペースを実質的に広くすることができる遊技機を提供すること。【解決手段】この遊技機は、遊技球Ｂの転動する遊技領域１６の下縁１６ｄ側近傍に、入賞口３０が配設されている。遊技領域１６の下縁１６ｄ側近傍に配設された入賞口３０の両側の内の少なくとも一方には、遊技球Ｂを遊技領域１６から排出する排出口３３が配設されている。そのため、この遊技機は、遊技領域１６の下縁側１６ｄのスペースを実質的に広くすることができる。【選択図】図４
2016146973.tif 000002
【特許請求の範囲】
【請求項１】
遊技球の転動する遊技領域の下縁側近傍に、入賞口が配設され、
該入賞口の両側の内の少なくとも一方に、遊技球を遊技領域から排出する排出口が配設されていることを特徴とする遊技機。
【発明の詳細な説明】
【技術分野】
【０００１】
本発明は、遊技盤の遊技領域に、遊技球の入賞する入賞口と遊技球を排出する排出口とが配設されて構成される遊技機に関する。
【背景技術】
【０００２】
従来、遊技機では、遊技球の転動する遊技盤の遊技領域の下縁側には、遊技球の入賞する入賞口（普通入賞口など）が、遊技領域を囲むレールから上方に離れて配置されていた（例えば、特許文献１参照）。そして、入賞口に入賞しなかった遊技球は、遊技領域の下縁側中央の排出口から排出されていた。
【先行技術文献】
【特許文献】
【０００３】
【特許文献１】特開２０１３−８５９０６号公報
【発明の概要】
【発明が解決しようとする課題】
【０００４】
しかし、従来の遊技機では、入賞口に入賞せずに流下した遊技球は、遊技領域の下縁側中央の排出口から排出される構成であり、入賞口の下方のスペースが、単に、排出口への遊技球の案内路としているだけであって、実質的な遊技領域を狭めていた。
【０００５】
本発明は、上述の課題を解決するものであり、遊技領域の下縁側のスペースを実質的に広くすることができる遊技機を提供することを目的とする。
【課題を解決するための手段】
【０００６】
本発明に係る遊技機は、遊技球の転動する遊技領域の下縁側近傍に、入賞口が配設され、
該入賞口の両側の内の少なくとも一方に、遊技球を遊技領域から排出する排出口が配設されていることを特徴とする。
【発明の効果】
【０００７】
本発明に係る遊技機では、遊技領域の下縁側のスペースを実質的に広くすることができる。
【図面の簡単な説明】
【０００８】
【図１】本発明の第１実施形態に係る遊技機の正面図である。
【図２】第１実施形態に係る遊技機の電気系統の概略ブロック図である。
【図３】第１実施形態の遊技機のメイン側タイマ割込処理のフローチャートである。
【図４】第１実施形態に係る遊技機の遊技領域の下縁付近の部分拡大概略正面図である。
【図５】第１実施形態の遊技機の概略部分縦断面図であり、図４のＶ−Ｖ部位に対応する。
【図６】第１実施形態の遊技機の概略部分縦断面図であり、図４のVI−VI部位に対応する。
【図７】第１実施形態の遊技機の概略部分縦断面図であり、図４のVII−VII部位に対応する。
【図８】第１実施形態の遊技機の概略部分縦断面図であり、図４のVIII−VIII部位に対応する。
【図９】第１実施形態の遊技機における遊技球の排出口側の通路を示す概略部分縦断面図であり、図５のIX−IX部位に対応する図である。
【図１０】第１実施形態の遊技機における遊技球の普通入賞口側の通路を示す概略部分縦断面図であり、図６のＸ−Ｘ部位に対応する図である。
【図１１】第２実施形態の遊技機の概略正面図である。
【図１２】第２実施形態の遊技機における遊技盤の概略正面図である。
【図１３】第２実施形態の遊技機における遊技領域の下縁付近の部分拡大概略正面図である。
【図１４】第２実施形態の遊技機の概略部分縦断面図であり、図１３のXIV−XIV部位に対応する。
【図１５】第２実施形態の遊技機の概略部分縦断面図であり、図１３のXV−XV部位に対応する。
【図１６】第２実施形態の遊技機における遊技球の排出口側の通路を示す概略部分縦断面図であり、図１４の XVI− XVI部位に対応する図である。
【図１７】第２実施形態の遊技機における遊技球の普通入賞口側の通路を示す概略部分縦断面図であり、図１５のXVII−XVII部位に対応する図である。
【図１８】第２実施形態の遊技機の振分装置を説明する概略斜視図である。
【図１９】第２実施形態の振分装置の振分状態を説明する図である。
【図２０】第２実施形態の振分装置の振分状態を説明する図である。
【図２１】変形例における遊技領域の下縁付近の部分拡大概略正面図である。
【図２２】変形例の概略部分縦断面図であり、図２１のXXII−XXII部位に対応する。
【図２３】変形例の概略部分縦断面図であり、図２１のXXIII−XXIII部位に対応する。
【図２４】さらに他の変形例を示す図である。
【図２５】さらに他の変形例を示す図である。
【図２６】第２実施形態の変形例を示す図である。
【発明を実施するための形態】
【０００９】
Ａ．第１実施形態
（１）パチンコ遊技機の構造
以下、本発明の第１実施形態を図面に基づいて説明すると、第１実施形態の遊技機としてのパチンコ遊技機１０は、図１に示すように、遊技機枠１１の内部に遊技盤１５を取り付けて構成される。遊技機枠１１は、外枠１２、内枠１３、及び、前面側のガラス扉部１４、を備える。外枠１２は、パチンコ遊技機１０の外郭部となる枠体であり、内枠１３は、遊技盤１５が取り付けられる枠体であり、ガラス扉部１４は、遊技盤１５を保護するとともに発射ハンドル４３等が配設される前枠である。ガラス扉部１４は、遊技盤１５の前面側における遊技球の転動する遊技領域１６や遊技球の転動を予定していない非遊技領域１７を目視できるように、それらの前側を覆う透明なガラス部１４ａと、そのガラス部１４ａの下方の皿ユニット部１４ｂとを備える。
【００１０】
ガラス扉部１４は、外枠１２や内枠１３に対してヒンジ１１ａによりそれぞれ回動自在とされ、内枠１３は、外枠１２とガラス扉部１４とに対してヒンジ１１ａによりそれぞれ回動自在としている。
【００１１】
ガラス扉部１４の前面側には、ガラス部１４ａの下方の皿ユニット部１４ｂに、球受け皿４２、発射ハンドル４３、皿球抜きボタン４４、通路球抜きボタン４５、演出ボタン４６、及び、演出キー４７が、配設されている。また、ガラス扉部１４の前面側には、上部側に、スピーカ４８や枠ランプ４９が配設されている。
【００１２】
遊技盤１５には、発射ハンドル４３の操作により発射された遊技球が転動する遊技領域１６が、レール部材３５と領域規制部材３６とに囲まれて形成されている。レール部材３５は、遊技領域１６の左縁１６ａから下縁１６ｄ側を囲う内レール部３５ａと、内レール部３５ａの外周側に配置されて遊技領域１６の上縁１６ｃ側を囲う外レール部３５ｅと、を備えて構成されている。領域規制部材３６は、遊技領域１６における外レール部３５ｅの右端部３５ｆから連なる右縁１６ｂ側と内レール部３５ａの右端部３５ｃから連なる下縁１６ｄ側とを囲うように、配設されている。発射ハンドル４３の操作により発射される遊技球は、レール部材３５の外レール部３５ｅと内レール部３５ａとの間を上昇し、内レール部３５ａの上端３５ｂから遊技領域１６に打ち出される。
【００１３】
また、遊技領域１６には、遊技球を誘導する風車５３や多数の障害釘５４等の突出部５２が突設され、さらに、非遊技領域１７には、盤ランプ５０が埋設されている。
【００１４】
なお、実施形態の場合、遊技盤１５は、アクリル樹脂等の合成樹脂から形成されて、レール部材３５、領域規制部材３６、遊技領域１６に突設される所定の突出部５２等は、適宜、遊技盤１５と一体成形されている。さらに、遊技盤１５の前面側の盤面壁部１２０は、後述する樋装置１３０の各部位と、適宜、一体成形されている。勿論、樋装置１３０の所定部位は、型抜き等を含めた成形性等を考慮し、盤面壁部１２０と別体として、別途、組み付けるように構成してもよい。
【００１５】
遊技領域１６の中央には、略円環状に囲む枠体部１８ａを備えたセンター役物装置１８が、配設されている。センター役物装置１８には、中央の後部側に、演出手段としての画像表示部２０の表示画面２０ａが配置されている。実施形態の画像表示部２０は、液晶表示装置であり、表示画面２０ａは液晶画面としている。画像表示部２０は、客待ち用のデモ表示、装飾図柄変動演出、大当たり遊技に並行して行われる大当たり演出などを表示画面２０ａに表示する。装飾図柄変動演出は、数字等の装飾図柄と装飾図柄以外の演出画像とにより構成されて、変動表示を経て停止表示された装飾図柄により、大当たり抽選（即ち、大当たり乱数の取得とその大当たり乱数を用いた判定、特別図柄抽選ともいう）の結果を報知する演出である。この装飾図柄変動演出は、後述する特別図柄変動に並行して行われる。また、大当たり抽選は、遊技球の後述する第１始動口２２または第２始動口２３への入賞に対して行われる。
【００１６】
センター役物装置１８の枠体部１８ａの左部には、入口から遊技球を流入させ、出口からステージ部１８ｃへ遊技球を流出させるワープ部１８ｂが配設されている。枠体部１８ａの下部のステージ部１８ｃは、ワープ部１８ｂから流入した遊技球を、上面で転動させて、第１始動口２２へと案内したり、あるいは、そのまま、第１始動口２２の上方より左右にずれた位置から、落下させる。
【００１７】
センター役物装置１８の上部側の画像表示部２０の表示画面２０ａの前側には、可動役物装置１１０が設けられている。
【００１８】
遊技領域１６の左右方向における中央下部には、始動入賞装置２１が設けられている。始動入賞装置２１は、遊技球の入球し易さが常時変わらない第１始動口２２と、電動チューリップ（以下「電チュー」という。「可変入賞装置」に相当する。）２４により開閉される第２始動口２３とを備えている。電チュー２４は、電チューソレノイド２４ａ（図２参照）により駆動される。第２始動口２３は、電チュー２４が開いているときのみ遊技球が入賞可能となる。
【００１９】
また、遊技領域１６には、大入賞装置（特別可変入賞装置）２６が設けられている。大入賞装置２６は、始動入賞装置２１の右方に配置されており、大入賞口２７と、大入賞口ソレノイド２６ａ（図２参照）により動作する開閉部材２６ｂとを備えている。大入賞口２７は、開閉部材２６ｂにより開閉される。
【００２０】
さらに、遊技領域１６には、遊技球が通過可能なゲート２８が設けられている。ゲート２８は、センター役物装置１８の右部の下方に配置されている。ゲート２８は、いわゆる右打ちをした際に、遊技球が通過する可能性がある通過口である。
【００２１】
また、遊技領域１６の下縁１６ｄ側には、複数の普通入賞口２９，３０が設けられている。普通入賞口２９は、始動入賞装置２１の右側に１個配設され、普通入賞口３０は、始動入賞装置２１の左側に３個配設されている。これらの普通入賞口３０は、図１，４に示すように、レール部材３５の内レール部３５ａの上面３５ｄ側に接近して配設され、それぞれのレール部材３５側の左側には、遊技領域１６から遊技球を排出する排出口（副排出口）３３（３３１，３３２，３３３）が開口されている。なお、普通入賞口３０の左側は、内レール部３５ａが左上がりに傾斜しており、遊技球の流下する流れから見れば、それぞれの普通入賞口３０において、遊技球の流下する上流側となる。そのため、実施形態では、各普通入賞口３０における遊技球の流下する流れの上流側（左側）に、遊技領域１６から遊技球を排出する排出口（副排出口）３３（３３１，３３２，３３３）が開口されていることとなる。
【００２２】
さらに、遊技領域１６の下縁１６ｄ側の中央には、普通入賞口２９，３０や始動口２２，２３、あるいは、大入賞口２７に入賞しなかった遊技球を遊技領域１６から排出させる排出口（主排出口あるいは中央排出口ともいえる）３２が開口されている。
【００２３】
各普通入賞口３０は、図４〜１０に示すように、遊技盤１５の前面側を構成する盤面壁部１２０から遊技者側の前方に突出する略半割り筒形状の入賞受口部１６１の上面側の開口として、構成されている。すなわち、入賞受口部１６１は、盤面壁部１２０から左右で対向するように前方に突設される左右の側壁部１６３，１６４と、左右の側壁部１６３，１６４の前縁相互を連結する前壁部１６２と、左右の側壁部１６３，１６４の下縁相互を連結する底壁部１６５と、を備えて構成されている。そして、左右の側壁部１６３，１６４と前壁部１６２との上縁で囲まれた盤面壁部１２０の前方側の開口部位が、普通入賞口３０を構成している。
【００２４】
普通入賞口３０に入賞した遊技球Ｂは、樋装置１３０に案内されて遊技機１０外へ流出される。樋装置１３０は、排出口３３，３２に入球された遊技球Ｂを遊技機１０外へ流出させる排出側部１４０と、普通入賞口３０に入球された遊技球Ｂを遊技機１０外へ流出させる入賞側部１６０と、を備えて構成されている。
【００２５】
排出側部１４０は、排出受口部１４１、排出樋部１４７、及び、流出樋部１５５、を備えて構成される。排出受口部１４１は、排出口３３，３２の上縁から後方に延びる天井壁部１４２と、天井壁部１４２の左右両縁にそれぞれ連なりつつ排出口３３，３２の左右の縁から後方に延びる側壁部１４３，１４４と、背面壁部１４５と、を備えて構成される。背面壁部１４５は、それぞれ、天井壁部１４２と左右の側壁部１４３，１４４の後縁相互を連結するように、排出口３３，３２の後方で、排出口３３，３２と対向するように配設されている。
【００２６】
排出樋部１４７は、左右の側壁部１４９，１５０、底壁部１５１、背面壁部１５２、天井壁部１５３、及び、盤面壁部１２０と共用の前壁部１４８、を備えて構成されている。側壁部１４９は、左端側の副排出口３３１の排出受口部１４１の左側壁部１４３から、内レール部３５ａの下方位置まで延びるように、盤面壁部１２０から後方に突出している。底壁部１５１は、左側壁部１４９の下縁から内レール部３５ａの下方位置で内レール部３５ａに沿って、主排出口３２付近の流出樋部１５５の部位まで延びるように、盤面壁部１２０から後方に突出している。
【００２７】
前壁部１４８は、側壁部１４９と側壁部１５０との前縁相互を連結するように、配設されて、盤面壁部１２０と共用としている。背面壁部１５２は、前壁部１４８と対向して、側壁部１４９と側壁部１５０との後縁相互を連結するように配設され、かつ、流出樋部１５５の部位を除いて、底壁部１５１の後縁とも連結されている。天井壁部１５３は、底壁部１５１の上方位置における内レール部３５ａの後方位置で、前壁部１４８と背面壁部１５２とを断続的に連結するように、配設されている。天井壁部１５３は、各排出口３２，３３の排出受口部１４１の部位を開口させて、その開口部位を、排出樋部１４７へ遊技球を流入させるための流入口１４７ａとしている。また、排出樋部１４７は、底壁部１５１の右縁の開口を、流出樋部１５５へ遊技球を排出するための流出口１４７ｂとしている。
【００２８】
流出樋部１５５は、流出口１４７ｂから下方に延びる略四角筒形状に形成され、遊技球Ｂを遊技機１０外へ排出するように、所定部位に連結されている。また、流出樋部１５５には、遊技球Ｂの通過を検知する排出口ＳＷ３４が配置されている。
【００２９】
この排出側部１４０では、遊技領域１６を転動した遊技球Ｂが内レール部３５ａの上面３５ｄ側から副排出口３３（３３１，３３２，３３３）に入球すれば、遊技球Ｂは、それぞれの排出受口部１４１に流入して、排出受口部１４１の左右の側壁部１４３，１４４、及び、背面壁部１４５で案内されて流入口１４７ａに到達し、さらに、流入口１４７ａから排出樋部１４７内に流入して、底壁部１５１上に落下する。さらに、遊技球Ｂは、底壁部１５１上を流出口１４７ｂ側に転動して、流出口１４７ｂから流出樋部１５５に流入し、流出樋部１５５から遊技機１０外へ排出されることとなる。
【００３０】
また、遊技領域１６を転動した遊技球Ｂが内レール部３５ａの上面３５ｄ側から主排出口３２に入球すれば、遊技球Ｂは、主排出口３２の排出受口部１４１に流入して、排出受口部１４１の左右の側壁部１４３，１４４と背面壁部１４５とに案内されて流入口１４７ａに到達し、さらに、流入口１４７ａから排出樋部１４７内に流入し、そして、直ちに、流出口１４７ｂを経て流出樋部１５５に流入し、流出樋部１５５から遊技機１０外へ排出されることとなる。
【００３１】
入賞側部１６０は、各普通入賞口３０１，３０２，３０３に設けられた既述の入賞受口部１６１と、連結部１６７と、入賞樋部１７４と、流出樋部１８２と、を備えて構成されている。各入賞受口部１６１は、既述したように、左右の側壁部１６３，１６４と、側壁部１６３，１６４の前縁相互を連結する前壁部１６２と、左右の側壁部１６３，１６４の下縁相互を連結する底壁部１６５と、を備えて、盤面壁部１２０から前方に突出するように配設されている。
【００３２】
入賞樋部１７４は、排出側部１４０における排出樋部１４７の後方側に配置されて、前壁部１７５、左右の側壁部１７６，１７７、底壁部１７８、背面壁部１７９、及び、天井壁部１８０、を備えて構成される。底壁部１７８は、左端の普通入賞口３０１の下方位置から右端の普通入賞口３０３の下方位置に接近する位置まで、内レール部３５ａに沿って、排出側部１４０の排出樋部１４７における底壁部１５１の後方側で、かつ、底壁部１５１と前後方向で重なるように、突設されている。底壁部１５１は、右縁側に、入賞樋部１７４から遊技球を流出樋部１８２に流出させるための流出口１７４ｂを開口させている。前壁部１７５は、左端の普通入賞口３０１の下方位置から右端の普通入賞口３０３の下方位置まで配設されて、排出樋部１４７の背面壁部１５２と共用されている。背面壁部１７９は、前壁部１７５と対向するように、配設され、かつ、流出樋部１８２の部位を除いて、底壁部１５１の後縁と連結されている。
【００３３】
天井壁部１８０は、各普通入賞口３０に入賞した遊技球Ｂを入賞樋部１７４へ流入させる流入口１７４ａを開口させて、底壁部１７８の上方で、断続的に配設されている。天井壁部１８０は、流入口１７４ａの部位を除いて、内レール部３５ａや排出樋部１４７の天井壁部１５３の後方側で、かつ、内レール部３５ａや天井壁部１５３と前後方向で重なるように、前壁部１７５から後方側へ突設されている。
【００３４】
連結部１６７は、各入賞受口部１６１に流入した遊技球Ｂを入賞樋部１７４の流入口１７４ａに案内するように配設されている。すなわち、各連結部１６７は、それぞれ、入賞受口部１６１の左右の側壁部１６３，１６４から連なるように後方に延びる側壁部１６９，１７０と、底壁部１６５から連なるように後方に延びる底壁部１７１と、天井壁部１６８と、背面壁部１７２と、を備えて構成されている。左方側の側壁部１６９は、排出側部１４０のそれぞれの副排出口３３１，３３２，３３３における対応する位置の排出受口部１４１の右側壁部１４４と共用され、底壁部１７１は、対応する位置の各排出側部１４０の天井壁部１５３と共用されている。
【００３５】
天井壁部１６８は、左右の側壁部１６９，１７０の上縁相互を連結するように、盤面壁部１２０から後方へ突設されて、背面壁部１７２は、左右の側壁部１６９，１７０の後縁相互を連結するように、天井壁部１６８の後縁から下方へ延びるように、配設されて、入賞樋部１７４の背面壁部１７９に連なっている。入賞樋部１７４の各流入口１７４ａは、それぞれ、各連結部１６７における底壁部１７１の後縁、左右の側壁部１６９，１７９の下縁、及び、背面壁部１７９の下縁に囲まれた開口として、形成されている。
【００３６】
流出樋部１８２は、流出口１７４ｂから下方に延びる略四角筒形状に形成され、遊技球Ｂを遊技機１０外へ排出するように、所定部位に連結されている。また、流出樋部１８２には、遊技球Ｂの通過を検知する普通入賞口ＳＷ３０ａが配置されている。
【００３７】
この入賞側部１６０では、遊技領域１６を転動した遊技球Ｂが普通入賞口３０（３０１，３０２）に入球すれば、遊技球Ｂは、それぞれの入賞受口部１６１に流入して、入賞受口部１６１の前壁部１６２、左右の側壁部１６３，１６４、及び、底壁部１６５で案内されて、連結部１６７に流入し、さらに、遊技球Ｂは、連結部１６７の左右の側壁部１６９，１７０、底壁部１７１、背面壁部１７２に案内されて流入口１７４ａに到達し、さらに、流入口１７４ａから入賞樋部１７４内に流入し、底壁部１７８上に落下する。そして、遊技球Ｂは、底壁部１７８上を流出口１７４ｂ側に転動して、流出口１７４ｂから流出樋部１８２に流入し、流出樋部１８２から遊技機１０外へ排出されることとなる。
【００３８】
遊技領域１６を転動した遊技球Ｂが右端の普通入賞口３０３に入球すれば、入賞受口部１６１に流入し、さらに、連結部１６７の底壁部１７１、左右の側壁部１６９，１７０、及び、背面壁部１７２により、流入口１７４ａに案内され、さらに、流入口１７４ａから入賞樋部１７４内に流入し、そして、直ちに、流出口１７４ｂを経て流出樋部１８２に流入し、流出樋部１８２から遊技機１０外へ排出されることとなる。
【００３９】
なお、右側の普通入賞口２９は、普通入賞口３０と同様に、入賞受口部１６１を備えるものの、流出樋部１８２と合流するように、所定の通路が接続される構成として、その途中に、遊技球の通過を検知する普通入賞口ＳＷ２９ａ（図２参照）が配設されている。
【００４０】
また、遊技領域１６の外側であって遊技盤１５の右下には、図１に示すように、表示器類が配置されている。パチンコ遊技機１０には、表示器類として、普通図柄表示器３７、第１特別図柄表示器３９ａ、及び、第２特別図柄表示器３９ｂが設けられるとともに、普通図柄保留ランプ３８、第１特別図柄保留ランプ４０ａ、及び、第２特別図柄保留ランプ４０ｂが設けられている。
【００４１】
第１特別図柄表示器３９ａ、第２特別図柄表示器３９ｂは、それぞれ、遊技球の第１始動口２２、第２始動口２３への入賞を契機として行われる大当たり抽選の結果を、変動表示を経て停止表示される特別図柄により報知する（これを「特別図柄変動」という）ものである。第１特別図柄表示器３９ａ、第２特別図柄表示器３９ｂに停止表示された特別図柄が大当たり図柄又は小当たり図柄であれば、大入賞口２７を所定回数開閉する当たり遊技が行われる。
【００４２】
特別図柄の変動表示中または当たり遊技中に、遊技球が第１始動口２２または第２始動口２３に入賞すると、メイン制御部６０（図２参照）は、その入賞に対して取得した大当たり乱数等の乱数を、第１始動口２２への入賞であれば第１特図保留記憶部６３ａに、第２始動口２３への入賞であれば第２特図保留記憶部６３ｂに、特図保留記憶として記憶する。そして、特別図柄変動を実行可能になったときに、記憶しておいた特図保留記憶に基づいて大当たりか否かの判定を行い、特別図柄変動を実行する。
【００４３】
第１特別図柄保留ランプ４０ａ、第２特別図柄保留ランプ４０ｂは、それぞれ、第１特図保留記憶部６３ａ、第２特図保留記憶部６３ｂに記憶されている特図保留記憶の個数を表示するものである。なお、第１特図保留記憶部６３ａ、第２特図保留記憶部６３ｂに記憶される特図保留記憶の個数は、それぞれ４個が上限とされているため、第１特図保留記憶部６３ａに４個の特図保留記憶がある状態で遊技球が第１始動口２２に入賞したときや、第２特図保留記憶部６３ｂに４個の特図保留記憶がある状態で遊技球が第２始動口２３に入賞したときは、その入賞に対して大当たり乱数等の乱数は取得されない。
【００４４】
普通図柄表示器３７は、遊技球のゲート２８への通過を契機として行われる普通図柄抽選の結果を、変動表示を経て停止表示される普通図柄により報知する（これを「普通図柄変動」という）ものである。普通図柄表示器３７に停止表示された普通図柄が当たり図柄であれば、所定時間及び所定回数、電チュー２４を開く補助遊技が行われる。
【００４５】
普通図柄の変動表示中または補助遊技中に、遊技球がゲート２８を通過すると、メイン制御部６０は、その通過に対して取得した当たり乱数等の乱数を、普図保留記憶部６３ｃに普図保留記憶として記憶する。そして、普通図柄変動を開始可能な状態になったときに、記憶しておいた普図保留記憶に基づいて当たりか否かの判定を行い、普通図柄変動を実行する。
【００４６】
普通図柄保留ランプ３８は、普図保留記憶部６３ｃに記憶されている普図保留記憶の個数を表示するものである。なお、普図保留記憶部６３ｃに記憶される普図保留記憶の個数は、それぞれ４個が上限とされているため、普図保留記憶部６３ｃに４個の普図保留記憶がある状態で遊技球がゲート２８を通過したときは、その通過に対して当たり乱数は取得されない。
【００４７】
なお、遊技領域１６内の左縁１６ａの下部側には、上記の第１，２特別図柄表示３９ａ，３９ｂや普通図柄表示器３７の変動表示状態、それらの保留数、あるいは、右打ち指示等を表示可能な遊技情報表示器５１が、配設されている。また、実施形態の場合、遊技情報表示器５１は、上面側で遊技球を右下側へ転動させる転動ガイド部５６としても機能している。
【００４８】
（２）パチンコ遊技機の電気系統
次に、実施形態のパチンコ遊技機１０の電気系統について説明する。図２に示すように、パチンコ遊技機１０は、メイン制御部６０、払出制御部７０、サブ制御部８５を備え、サブ制御部８５は、演出制御部９０、画像音響制御部９５、及び、ランプ制御部１００を備えている。そして、払出制御部７０及び演出制御部９０はメイン制御部６０に接続され、画像音響制御部９５及びランプ制御部１００は演出制御部９０に接続されている。各制御部は、ＣＰＵ６１，７１，９１，９６，１０１、ＲＯＭ６２，７２，９２，９７，１０２、ＲＡＭ６３，７３，９３，１０３等を備えている。また、メイン制御部６０は、ＲＡＭ６３内に、第１特図保留記憶部６３ａ、第２特図保留記憶部６３ｂ、及び、普図保留記憶部６３ｃを備えている。さらに、演出制御部９０は、ＲＴＣ（リアルタイムクロック）９４を備えている。ＲＴＣ９４は、日時を計測しており、パチンコ遊技機１０の電源が遮断されても図示しないバックアップ電源により計測動作を継続する。
【００４９】
メイン制御部６０は、大当たりの抽選や遊技状態の移行など主に利益に関わる制御を行うものである。メイン制御部６０には、第１始動口２２内に設けられて第１始動口２２に入賞した遊技球を検出する第１始動口ＳＷ（スイッチ）２２ａ、第２始動口２３内に設けられて第２始動口２３に入賞した遊技球を検出する第２始動口ＳＷ２３ａ、電チュー２４を駆動する電チューソレノイド２４ａ、ゲート２８内に設けられてゲート２８を通過した遊技球を検出するゲートＳＷ２８ａ、大入賞口２７内に設けられて大入賞口２７に入賞した遊技球を検出する大入賞口ＳＷ２７ａ、開閉部材２６ｂを駆動する大入賞口ソレノイド２６ａ、各普通入賞口２９，３０に入賞した遊技球を検出する普通入賞口ＳＷ２９ａ，３０ａ、排出口３２，３３に入球した遊技球を検出する排出口ＳＷ３４、第１特別図柄保留ランプ４０ａ、第２特別図柄保留ランプ４０ｂ、普通図柄保留ランプ３８、第１特別図柄表示器３９ａ、第２特別図柄表示器３９ｂ、普通図柄表示器３７がそれぞれ接続され、矢印で示すように、各スイッチからはメイン制御部６０に信号が入力され、各ソレノイドやランプ等にはメイン制御部６０から信号が出力される。
【００５０】
また、メイン制御部６０は、払出制御部７０に各種コマンドを送信するとともに、払い出し監視のために払出制御部７０から信号を受信する。払出制御部７０には、払出部７５が接続され、払出制御部７０は、メイン制御部６０から受信したコマンドに従って払出部７５を動作させ、賞球の払出を行わせる。
【００５１】
さらに、メイン制御部６０には、ホールに設置された図示しないホストコンピュータに対して各種の遊技情報を送信する盤用外部情報端子基板１０５が接続されている。メイン制御部６０は、大当り遊技を実行する大当たり判定を行なった大当たり情報、始動口２２，２３への入賞に伴なうスタート情報（特別図柄の変動回数情報）、排出口３２，３３に排出されたアウト球情報、各種入賞口に入賞した入賞球情報、確変情報等の遊技情報を、盤用外部情報端子基板１０５を介して、ホストコンピュータに送信する。
【００５２】
払出制御部７０は、払出部（払出駆動モータ）７５、払出球検出ＳＷ７６、球有り検出ＳＷ７７、満タン検出ＳＷ７８、及び、発射部７９と接続される。
【００５３】
払出制御部７０は、払出部（払出駆動モータ）７５に対して入賞時の賞球数を払い出す制御を行なう。払出部７５は、遊技球の貯留部から所定数を払い出すための払出駆動モータからなる。そして、払出制御部７０は、払出部７５に対して各入賞口（第１始動口２２、第２始動口２３、大入賞口２７、普通入賞口２９，３０）に入賞した遊技球に対応した賞球数を払い出す制御を行なう。
【００５４】
また、払出制御部７０は、発射部７９に対する遊技球の発射の操作を検出して遊技球の発射を制御する。発射部７９は、遊技のための遊技球を発射するものであり、発射ハンドル４３からの遊技者による遊技操作を検出するセンサや遊技球を発射させるソレノイド等を備える。払出制御部７０は、発射部７９のセンサにより遊技操作を検出すると、検出された遊技操作に対応してソレノイド等を駆動させて遊技球を間欠的に発射させ、遊技盤１５の遊技領域１６に遊技球を送り出す。
【００５５】
また、払出制御部７０は、払い出す遊技球の状態を検出する各所の検出部が接続され、賞球のための払い出し状態を検出する。これらの検出部としては、既述の払出球検出ＳＷ７６、球有り検出ＳＷ７７、満タン検出ＳＷ７８等がある。
【００５６】
さらに、払出制御部７０には、ホールに設置された図示しないホストコンピュータに対して所定の情報を送信する枠用外部情報端子基板１０６が接続されている。払出制御部７０は、払出部（払出駆動モータ）７５を駆動させて払い出した賞球数の払出情報等を枠用外部情報端子基板１０６を介してホストコンピュータに送信し、また、同様の情報をメイン制御部６０にも送信する。
【００５７】
また、メイン制御部６０は、演出制御部９０に対し各種コマンドを送信し、演出制御部９０は、画像音響制御部９５との間でコマンドや信号の送受信を行う。画像音響制御部９５には画像表示部２０及びスピーカ４８が接続され、画像音響制御部９５は、演出制御部９０から受信したコマンドに従って、画像表示部２０の表示画面２０ａに装飾図柄その他の画像を表示し、スピーカ４８から音声を出力する。
【００５８】
具体的には、画像音響制御部９５のＲＯＭ９２には、画像表示部２０において表示する装飾図柄、背景、キャラクタ、アイテム等の画像データが記憶されている。さらには、画像データと同期させて又は画像データとは独立にスピーカ４８から出力する音声、楽曲、効果音等の音響データが記憶されている。画像音響制御部９５のＣＰＵ９１は、ＲＯＭ９２に記憶された画像データや音響データの中から、演出制御部９０から受信したコマンドに対応したものを選択して読み出し、読み出した画像データを用いて装飾図柄等の画像を表示するための画像処理を行い、また、読み出した音響データを用いて音声等の音響を出力するための音声処理を行う。そして、画像音響制御部９５は、画像処理された画像データに基づいて画像表示部２０に画像を表示し、音声処理された音響データに基づいてスピーカ４８から音響を出力する。
【００５９】
また、演出制御部９０は、ランプ制御部１００との間でコマンドや信号の送受信を行う。ランプ制御部１００には、枠ランプ４９、盤ランプ５０、遊技情報表示器５１、及び、可動役物装置１１０が接続され、ランプ制御部１００は、演出制御部９０から受信したコマンドに従って、ランプ４９，５０を点灯・消灯し、可動役物装置１１０を動作させる。さらに、ランプ制御部１００は、メイン制御部６０から演出制御部９０を経て送信される所定のコマンドに応じて、遊技情報表示器５１の所定箇所を点灯・消灯している。
【００６０】
なお、ランプ制御部１００のＲＯＭ１０２には、演出制御部９０にて決定される演出内容に応じたランプ４９，５０の発光パターンデータ（点灯/点滅や発光色に関するデータ）が記憶されている。ランプ制御部１００のＣＰＵ１０１は、ＲＯＭ１０２に記憶された発光パターンデータの中から、演出制御部９０から受信したコマンドに対応したものを選択して読み出し、読み出した発光パターンデータに従ってランプ４９，５０の発光を制御する。また、ランプ制御部１００のＲＯＭ１０２には、演出制御部９０にて決定される演出内容に応じた可動役物装置１１０の動作パターンデータが記憶されている。ランプ制御部１００のＣＰＵ１０１は、読み出した動作パターンデータに従って、可動役物装置１１０の動作を制御する。
【００６１】
また、演出制御部９０には、演出ボタン４６（図１参照）が押下操作されたことを検出する演出ボタン検出ＳＷ４６ａが接続されており、演出ボタン４６が押下されると、演出ボタン検出ＳＷ４６ａから演出制御部９０に対して信号が出力される。さらに、演出キー４７のキー検出ＳＷ４７ａも演出制御部９０に接続されている。演出キー４７は、遊技者によってキー操作されると、キー操作に対応したキー検出ＳＷ４７ａの信号が演出制御部９０へ入力される。
【００６２】
（３）パチンコ遊技機の動作
１．メイン制御部での処理
パチンコ遊技機１０の制御部の動作について、簡単に説明すると、メイン制御部６０では、図３に示すメイン側タイマ割込処理を例えば４msecといった短時間毎に繰り返す。すなわち、乱数更新処理（S201）、始動口ＳＷ処理（S202）、ゲートＳＷ処理（S203）、大入賞口ＳＷ処理（S204）、普通入賞口ＳＷ処理（S205）、排出口ＳＷ処理(S206)、特別図柄処理（S207）、普通図柄処理（S208）、大入賞口処理（S209）、電チュー処理（S210）、賞球処理（S211）、及び、出力処理（S212）を繰り返して行う。
【００６３】
［乱数更新処理］乱数更新処理（S201）では、メイン制御部６０は、大当たり抽選に用いる大当たり乱数、大当たり図柄の種類（例えば、１５Ｒ等の通常長当たり図柄、１５Ｒ等の確変長当たり図柄、あるいは、２Ｒの短当たりの潜確図柄等）を決めるための大当たり図柄乱数、装飾図柄変動演出においてリーチ状態とするか否か決めるためのリーチ乱数、装飾図柄変動演出の変動パターン（例えばスーパーリーチ演出や擬似連を行うかなど）を決めるための変動パターン乱数、普通図柄抽選に用いる当たり乱数、当たり図柄の種類（長開放図柄、短開放図柄、又は、ハズレ図柄）を決めるための当たり図柄乱数等を更新する乱数更新処理を行う。
【００６４】
［始動口ＳＷ処理］始動口ＳＷ処理（S202）では、メイン制御部６０は、第１始動口ＳＷ２２ａや第２始動口ＳＷ２３ａがONしたか否かを判定して、ONしていれば、各種乱数（大当たり乱数、大当たり図柄乱数、リーチ乱数、変動パターン乱数）を取得して、対応する第１特図保留記憶部６３ａや第２特図保留記憶部６３ｂに格納する。なお、この乱数の取得と格納は、それぞれ、保留個数が「４」未満を条件として、実行する。
【００６５】
［ゲート処理］ゲート処理（S203）では、メイン制御部６０が、ゲートＳＷ２８ａがONしたと判定したとき、普通図柄保留球数が「４」未満であることを条件として当たり乱数を取得、格納する。
【００６６】
［大入賞口ＳＷ処理］大入賞口ＳＷ処理（S204）では、大入賞口ＳＷ２７ａがONしていれば、大当たり遊技中又は小当たり遊技中（後述する当たり遊技フラグがON）か否かを判定して、大当たり遊技中又は小当たり遊技中であれば、入賞個数カウンタの値に１を加算するとともに、大入賞口カウンタの値に１を加算する処理である。
【００６７】
［普通入賞口ＳＷ処理］普通入賞口ＳＷ処理（S205）は、普通入賞口ＳＷ２９ａ，３０ａがONしていれば普通入賞口カウンタの値に１を加算する処理である。
【００６８】
［排出口ＳＷ処理］排出口ＳＷ処理(S206)では、排出口ＳＷ３４がONしていれば排出口カウンタの値に１を加算する処理である。
【００６９】
［特別図柄処理］特別図柄処理（S207）では、始動口ＳＷ処理において格納した各種乱数により、大当たりか否か、大当たりの場合にどの種類の大当たりの図柄か、リーチ有りか無しか、どの変動パターンとするか、を判定する。と同時に、大当たりか否かの判定結果を特別図柄表示器３９ａ，３９ｂで表示するように、特別図柄の変動を開始し、選択した変動パターンに応じた所定の変動時間の経過後、停止表示する。また、いずれかの当たりの判定結果であれば、対応する当たりフラグをONして大入賞口２７を開閉させる当たり遊技（大当り遊技や小当たり遊技）の準備を行うとともに、遊技状態が変更される当たりであれば、現在の遊技状態のフラグをOFFする処理を行なう。
【００７０】
［普通図柄処理］普通図柄処理（S208）においては、ゲートＳＷ処理において格納した当たり乱数に関し、現在の遊技状態に応じて、判定するとともに、対応する普通図柄の変動時間を選択し、普通図柄表示器３７に、選択した変動時間だけ普通図柄を変動表示させ、変動時間が経過して普通図柄の変動表示を停止させたとき、当たり乱数が当たり乱数値である場合に補助遊技フラグをONする。補助遊技フラグがONされると、電チュー処理（S210）において、電チュー２４が、現在の遊技状態に応じて設定された開時間及び回数だけ開放動作される。
【００７１】
［大入賞口処理］大入賞口処理(S209)では、所定の当たり遊技（大当り遊技と小当たり遊技）を実行する場合、大入賞口２７を開閉する所定の準備時間を経過後、対応する開閉時間と開閉回数分に応じて、大入賞口２７を開閉し、当たり遊技終了後、当たり遊技フラグをOFFして、当たり遊技後の対応する遊技状態のフラグをONする処理を行なう。なお、大入賞口２７の開放時、所定個数の遊技球が入賞すれば、開放時間を経過する前に、大入賞口２７を閉じ、一回分の開放動作を終了することとなる。
【００７２】
［電チュー処理］電チュー処理（S210）においては、上述した普通図柄処理において補助遊技フラグがONされたとき、第２始動口２３の電チュー２４を現在の遊技状態に応じた開時間及び回数だけ開放動作する。
【００７３】
［賞球処理］賞球処理（S211）においては、遊技球の入球に応じた大入賞口カウンタの値に応じた数の賞球（実施形態では１カウントあたり１５球）、普通入賞口カウンタの値に応じた数の賞球（実施形態では１カウントあたり１０球）、及び、始動入賞口カウンタの値に応じた数の賞球（実施形態では１カウントあたり３球）を払い出すためのコマンドをセットして、それらのカウンタをゼロクリアする。
【００７４】
［出力処理］出力処理（S211）においては、図示しないが、各種コマンドを払出制御部７０及び演出制御部９０に出力する。さらに、メイン制御部６０は、大当り遊技を実行する大当たり判定を行なった大当たり情報、始動口２２，２３への入賞に伴なうスタート情報（特別図柄の変動回数情報）、排出口ＳＷ３４により検出された遊技球のカウンタ値に基づく排出口３２，３３に排出されたアウト球情報、各種入賞口２２ａ，２３ａ，２７ａ，２９ａ，３０ａに入賞した入賞球情報、確変情報等の遊技情報を、盤用外部情報端子基板１０５を介して、ホストコンピュータに送信する。
【００７５】
２．サブ制御部での処理
以上のメイン制御部６０における処理と並行して、サブ制御部８５の演出制御部９０では、メイン制御部６０から送信される保留増加コマンド、変動開始コマンド、変動パターンコマンド、変動停止コマンド、当たり遊技に伴なうオープニングやエンディングのコマンド、客待ちコマンド等に応じて、対応する装飾図柄変動演出、大当たり演出、客待ち演出等を、画像音響制御部９５やランプ制御部１００を制御しつつ、画像表示部２０の表示画面２０ａで演出表示したり、さらに、適宜、スピーカ４８から所定の音を出力したり、ランプ４９，５０を点灯したり、さらに、可動役物装置１１０を作動させて、所定の演出を実行することとなる。また、適宜、演出ボタン４６や演出キー４７の操作を促し、そして、それらの操作に応じて、対応する演出を、画像表示部２０の表示画面２０ａ、スピーカ４８、ランプ４９，５０、可動役物装置１１０の一つ、あるいは、複数を使用して、実行することとなる。
【００７６】
（４）第１実施形態のパチンコ遊技機の作用・効果
１．
第１実施形態のパチンコ遊技機１０では、図１，４に示すように、遊技球Ｂの転動する遊技領域１６の下縁１６ｄ側近傍に、入賞口（普通入賞口）３０（３０１，３０２，３０３）が配設され、入賞口３０の両側の内の少なくとも一方の左側に、遊技球Ｂを遊技領域１６から排出する排出口３３（３３１，３３２，３３３）が配設されている。
【００７７】
そのため、第１実施形態のパチンコ遊技機１０では、発射ハンドル４３を操作して遊技球Ｂが遊技領域１６に打ち込まれた後、遊技球Ｂが遊技領域１６の左側を流下して、例えば、図４，９に示すように、普通入賞口３０２に入球されずに、その遊技球の流下する流れの上流側となる普通入賞口３０２の左側に、流下すると、その遊技球Ｂは、主排出口３２まで内レール部３５ａの上面３５ｄを転動せずに、普通入賞口３０２の入賞受口部１６１の左側壁部１６３に止められ、そして、遊技領域１６から排出されるように、普通入賞口３０２の左側に隣接する副排出口３３２に入球し、さらに、排出側部１４０の排出受口部１４１と排出樋部１４７とを経て、流出樋部１５５から遊技機１０外へ排出される。
【００７８】
すなわち、第１実施形態のパチンコ遊技機１０では、普通入賞口３０２に入賞せずに左側に流下した遊技球Ｂを、主排出口３２まで転動させずに、隣接する副排出口３３２に入球させて遊技領域１６から排出させることができることから、普通入賞口３０２をセンター役物装置１８の下枠部１８ｄから離して、遊技領域１６の下縁１６ｄ側近傍の内レール部３５ａに接近させるように、配設させることができて、センター役物装置１８の下枠部１８ｄの下方の遊技領域１６の下部エリア１６ｆを、実質的に広くすることができる。そのため、センター役物装置１８がさらに大型化されて下方に延びても、下枠部１８ｄの下方に、実質的に広い遊技領域１６の下部エリア１６ｆを確保することができる。
【００７９】
２．
特に、第１実施形態では、図４，５に示すように、各普通入賞口３０（３０１，３０２，３０３）がレール部材３５の内レール部３５ａと接触するように配設されており、換言すれば、入賞受口部１６１の底壁部１６５が内レール部３５ａと一体化されて、極力、各普通入賞口３０（３０１，３０２，３０３）が下方位置に配置されて、遊技領域１６の下部エリア１６ｆを、一層、広くすることができる。
【００８０】
３．
第１実施形態のパチンコ遊技機１０では、遊技領域１６の下縁１６ｄ側に、複数（３個）の普通入賞口３０（３０１，３０２，３０３）を配設させて、それぞれの遊技球Ｂの流下時の上流側となる左側に、隣接するように副排出口３３（３３１，３３２，３３３）を開口させている。すなわち、主排出口３２を含めれば、各普通入賞口３０の左右両側に排出口３２，３３が配設されて、普通入賞口３０への入賞を逃して、左側や右側に流下しても、極力、レール部材３５の内レール部３５ａ上を転動させずに、遊技球Ｂを、円滑に、遊技領域１６から排出させることができる。換言すれば、遊技領域１６の下縁１６ｄ側に、複数（３個）の普通入賞口３０（３０１，３０２，３０３）を配設させていても、入賞しない遊技球Ｂを、円滑に、遊技領域１６外へ排出できるとともに、遊技領域１６の下部エリア１６ｆに広いスペースを確保できる。
【００８１】
Ｂ．第２実施形態
（１）パチンコ遊技機の構造
第２実施形態のパチンコ遊技機１０Ａは、図１１〜１３に示すように、遊技盤１５Ａの遊技領域１６Ａに、遊技球Ｂを第１始動口２２Ａに安定して入賞させる振分装置２００を備えて構成され、また、第２始動口２３Ａが、揺動する羽根部材からなる電チュー２４Ａにより開閉する構成として、センター役物装置１８の右枠部１８ｅに配設され、さらに、第１始動口２２Ａの直下に、入賞し難い第２始動口２３Ｂが配設されている点が、第１実施形態と相違している。そして、第２実施形態のパチンコ遊技機１０Ａでは、遊技領域１６Ａの下縁１６ｄ側に配置される普通入賞口２９，３０や排出口３２，３３の構造は、図示しない樋装置１３０を含めて、第１実施形態と同様であり、第２実施形態における第１実施形態と同様な部位、部材は、第１実施形態と同じ符号を付して、適宜、説明を省略する。
【００８２】
振分装置２００は、発射ハンドル４３を操作して、遊技球を遊技領域１６Ａの左縁１６ａ側を流下させる際に、遊技球を流入させ、１８個の内、１個を第１始動口２２Ａに入賞させるように構成されて、入賞安定装置とも言える。振分装置２００は、図１２，１４に示すように，上方から順に、第１振分部２１０、第２振分部２２０、及び、第３振分部２３０、が配設されて構成されている。遊技領域１６Ａの上縁１６ｃ側の左エリアには、遊技盤１５Ａから前方に突出する複数の突起５５が配設されており、発射ハンドル４３の操作によって遊技領域１６Ａに打ち込む遊技球を、これらの突起５５に当てて、遊技領域１６Ａの左縁１６ａ側に流下させ易く構成されている。
【００８３】
振分装置２００の第１振分部２１０は、図１２，１８〜２０に示すように、遊技球Ｂが入球する入口２１１を配設させるとともに、入口２１１の直下に振分揺動片部２１２を配設させ、さらに、振分揺動片部２１２の下方に、二つの出口２１６，２１７を左右に並設させて構成されている。振分揺動片部２１２は、揺動中心軸２１２ａから上方に主羽根２１３を突設させるともに、主羽根２１３の突出方向と直交して二つの副羽根２１４，２１５を突設させた構成されている。振分揺動片部２１２は、入口２１１から遊技球Ｂが流下してくると、主羽根２１３と副羽根２１４，２１５の一方との間に、載り、遊技球Ｂの載った側の副羽根２１４，２１５の一方が、遊技球Ｂの重量により下がり、遊技球Ｂを下がった側の副羽根２１４，２１５の一方の直下の出口２１６，２１７へ排出し、そして、他方の副羽根２１５，２１４が上がる。
【００８４】
第１振分部２１０では、例えば、遊技球Ｂが、図１９の実線に示す状態の振分揺動片部２１２の主羽根２１３と副羽根２１５とに載れば、副羽根２１５が下方に下がって、遊技球Ｂが、右側の出口２１７に排出される。つぎの遊技球Ｂが入口２１１から流下してくれば、遊技球Ｂは、図２０に示す状態の振分揺動片部２１２の主羽根２１３と副羽根２１４とに載り、副羽根２１４が下方に下がって、左側の出口２１６へ排出され、そして、振分揺動片部２１２は、図１９の実線に示すように、副羽根２１５が上がった状態に復帰する。すなわち、この第１振分部２１０では、入口２１１から流下してくる遊技球Ｂを、振分揺動片部２１２が左右に揺動して、交互に、出口２１６，２１７に排出する。そして、出口２１６から排出される遊技球Ｂは、流下流路２１８を経て、遊技領域１６Ａの下縁１６ｄ側へ流下する。一方、出口２１７から排出される遊技球Ｂは、振分流路２１９を経て、第２振分部２２０側へ流下する。
【００８５】
この第１振分部２１０では、振分流路２１９を経て第２振分部２２０側へ流下する遊技球Ｂは、入口２１１に入球する数の半分となり、第２振分部２２０側へ振り分ける確率を１／２としている。
【００８６】
第２振分部２２０は、振分流路２１９の直下に、回転羽根部２２１が配設され、回転羽根部２２１の下方に、振分揺動片部２２３が配設されて構成されている。回転羽根部２２１は、回転中心軸２２１ａから１２０°ずつずれて三枚の羽根２２１ｂを突設させて構成されている。振分揺動片部２２３は、揺動中心軸２２３ａから上方に延びる羽根２２３ｂを設けて構成されている。回転羽根部２２１は、遊技球Ｂが振分流路２１９から流下してくると、振分流路２１９の直下の羽根２２１ｂを押して、回転羽根部２２１を時計回り方向に１２０°回転させて、下方の開口２２２から遊技球Ｂを排出する。開口２２２から流下する遊技球Ｂは、振分揺動片部２２３側に落下し、通常、振分揺動片部２２３は、図１９の実線に示すように、羽根２２３ｂを揺動中心軸２２３ａから上方に延ばして配設されて、左側の出口２２４を空けており、その出口２２４から遊技球Ｂを排出する。但し、振分揺動片部２２３は、回転羽根部２２１が３個の遊技球Ｂを入球させて１回転する際、最後の１個の遊技球Ｂを受け入れて１２０°回転する時、図示しない歯車機構とばねにより、振分揺動片部２２３の羽根２２３ｂを揺動中心軸２２３ａ周りで左方に回転させ、図２０の実線に示すように、出口２２４側を塞ぎ、そして、復帰する。そのため、第２振分部２２０では、その際に、回転羽根部２２１を１２０°回転させて開口２２２から流下してくる遊技球Ｂは、出口２２４側を塞いだ羽根２２３ｂに案内されて、右側の出口２２５側に排出される。
【００８７】
そして、出口２２４から排出される遊技球Ｂは、図１９の二点鎖線に示すように、流下流路２２６を経て、遊技領域１６Ａの下縁１６ｄ側へ流下する。一方、出口２２５から排出される遊技球Ｂは、図２０の二点鎖線に示すように、振分流路２２７を経て、第３振分部２３０側へ流下する。
【００８８】
この第２振分部２２０では、振分流路２２７を経て第３振分部２３０側へ流下する遊技球Ｂは、振分流路２１９から入球する３個の内の１個となり、第３振分部２３０側へ振り分ける確率を１／３としている。
【００８９】
第３振分部２３０は、振分流路２２７の直下に、回転羽根部２３１が配設され、回転羽根部２３１の下方に、振分揺動片部２３３が配設されて構成されている。回転羽根部２３１は、回転中心軸２３１ａから１２０°ずつずれて三枚の羽根２３１ｂを突設させて構成されている。振分揺動片部２３３は、揺動中心軸２３３ａから上方に延びる羽根２３３ｂを設けて構成されている。回転羽根部２３１は、遊技球Ｂが振分流路２２７から流下してくると、振分流路２２７の直下の羽根２３１ｂを押して、回転羽根部２３１を時計回り方向に１２０°回転させて、下方の開口２３２から遊技球Ｂを排出する。開口２３２から流下する遊技球Ｂは、振分揺動片部２３３側に落下し、通常、振分揺動片部２３３は、図１９の実線に示すように、羽根２３３ｂを揺動中心軸２３３ａから上方に延ばして配設されて、左側の出口２３４を空けており、その出口２３４から遊技球Ｂを排出する。但し、振分揺動片部２３３は、回転羽根部２２１が３個の遊技球Ｂを入球させて１回転する際、最後の１個の遊技球Ｂを受け入れて１２０°回転する時、図示しない歯車機構とばねにより、振分揺動片部２３３の羽根２３３ｂを揺動中心軸２２３ａ周りで左方に回転させ、図２０の実線に示すように、出口２３４側を塞ぎ、そして、復帰する。そのため、第３振分部２３０では、その際に、回転羽根部２３１を１２０°回転させて開口２３２から流下してくる遊技球Ｂは、出口２３４側を塞いだ羽根２３３ｂに案内されて、右側の出口２３５側に排出される。
【００９０】
そして、出口２３４から排出される遊技球Ｂは、図１９の二点鎖線に示すように、流下流路２３６を経て、遊技領域１６Ａの下縁１６ｄ側へ流下する。一方、出口２３５から排出される遊技球Ｂは、図１２，１３，１８の二点鎖線に示すように、入賞期待流路２３７を経て、流下口２４０から流下し、第１始動口２２Ａに入賞する。
【００９１】
この第３振分部２３０では、入賞期待流路２３７を経て第１始動口２２Ａ側へ流下する遊技球Ｂは、振分流路２２７から入球する３個の内の１個となり、第１始動口２２Ａ側へ振り分ける確率を１／３としている。
【００９２】
換言すれば、この振分装置２００では、第１振分部２１０における第２振分部２２０への遊技球Ｂの振分の確率を１／２とし、第２振分部２２０における第３振分部２３０への遊技球Ｂの振分の確率を１／３とし、第３振分部２３０における第１始動口２２Ａ側への遊技球Ｂの振分の確率を１／３としており、全体としての入口２１１から第１始動口２２Ａ側への遊技球Ｂの振分の確率は、（１／２）×（１／３）×（１／３）＝１／１８となる。
【００９３】
そして、第１始動口２２Ａ側へ振り分けられない場合の遊技球Ｂ、すなわち、流下流路２１８，２２６，２３６から排出される遊技球Ｂは、遊技領域１６Ａの左縁１６ａ側から下縁１６ｄ側に流下し、適宜、転動ガイド部５６や障害釘５４に当たり、流下方向を変えて、副排出口３３（３３１，３３２，３３３）や主排出口３２に入球したり、あるいは、普通入賞口３０（３０１，３０２，３０３）に入賞することとなる。
【００９４】
遊技球Ｂが、副排出口３３（３３１，３３２，３３３）に入球すれば、図１４，１６に示すように、それぞれの排出受口部１４１に流入して、排出受口部１４１の左右の側壁部１４３，１４４、及び、背面壁部１４５で案内されて流入口１４７ａに到達し、さらに、流入口１４７ａから排出樋部１４７内に流入して、底壁部１５１上に落下する。さらに、遊技球Ｂは、底壁部１５１上を流出口１４７ｂ側に転動して、流出口１４７ｂから流出樋部１５５に流入し、流出樋部１５５から遊技機１０Ａ外へ排出されることとなる。
【００９５】
遊技球Ｂが、内レール部３５ａの上面３５ｄ側から主排出口３２に入球すれば、主排出口３２の排出受口部１４１に流入して、排出受口部１４１の左右の側壁部１４３，１４４と背面壁部１４５とに案内されて流入口１４７ａに到達し、さらに、流入口１４７ａから排出樋部１４７内に流入し、そして、直ちに、流出口１４７ｂを経て流出樋部１５５に流入し、流出樋部１５５から遊技機１０Ａ外へ排出されることとなる。
【００９６】
遊技球Ｂが、遊技領域１６Ａを転動して普通入賞口３０（３０１，３０２）に入球すれば、図１５，１７に示すように、それぞれの入賞受口部１６１に流入して、入賞受口部１６１の前壁部１６２、左右の側壁部１６３，１６４、及び、底壁部１６５で案内されて、連結部１６７に流入し、さらに、遊技球Ｂは、連結部１６７の左右の側壁部１６９，１７０、底壁部１７１、背面壁部１７２に案内されて流入口１７４ａに到達し、さらに、流入口１７４ａから入賞樋部１７４内に流入し、底壁部１７８上に落下する。そして、遊技球Ｂは、底壁部１７８上を流出口１７４ｂ側に転動して、流出口１７４ｂから流出樋部１８２に流入し、流出樋部１８２から遊技機１０Ａ外へ排出されることとなる。
【００９７】
遊技球Ｂが、右端の普通入賞口３０３に入球すれば、入賞受口部１６１に流入し、さらに、連結部１６７の底壁部１７１、左右の側壁部１６９，１７０、及び、背面壁部１７２により、流入口１７４ａに案内され、さらに、流入口１７４ａから入賞樋部１７４内に流入し、そして、直ちに、流出口１７４ｂを経て流出樋部１８２に流入し、流出樋部１８２から遊技機１０Ａ外へ排出されることとなる。
（２）第２実施形態のパチンコ遊技機の作用・効果
１．
第２実施形態のパチンコ遊技機１０Ａでも、遊技球Ｂの転動する遊技領域１６Ａの下縁１６ｄ側近傍に、入賞口（普通入賞口）３０（３０１，３０２，３０３）が配設され、入賞口３０の両側の内の少なくとも一方の左側（遊技球Ｂの流下する流れの上流側）に、遊技球Ｂを遊技領域１６Ａから排出する排出口３３（３３１，３３２，３３３）が配設されている。
【００９８】
そのため、第２実施形態のパチンコ遊技機１０Ａでも、例えば、普通入賞口３０２に入賞せずに左側に流下した遊技球Ｂを、主排出口３２まで転動させずに、隣接する副排出口３３２に入球させて遊技領域１６Ａから排出させることができることから、普通入賞口３０２をセンター役物装置１８の下枠部１８ｄから離して、遊技領域１６Ａの下縁１６ｄ側近傍の内レール部３５ａに接近させるように、配設させることができて、センター役物装置１８の下枠部１８ｄの下方の遊技領域１６Ａの下部エリア１６ｆを、実質的に広くすることができる。
【００９９】
２．
さらに、第２実施形態でも、各普通入賞口３０（３０１，３０２，３０３）がレール部材３５の内レール部３５ａと接触するように配設されており、極力、各普通入賞口３０（３０１，３０２，３０３）が下方位置に配置されて、遊技領域１６Ａの下部エリア１６ｆを、一層、広くすることができる。
【０１００】
３．
さらにまた、第２実施形態でも、遊技領域１６Ａの下縁１６ｄ側に、複数（３個）の普通入賞口３０（３０１，３０２，３０３）を配設させ、さらに、それらの普通入賞口３０のそれぞれの左側に隣接するように副排出口３３（３３１，３３２，３３３）を開口させて、そして、主排出口３２を含めれば、各普通入賞口３０の左右両側に排出口３２，３３が配設されて、普通入賞口３０への入賞を逃して、左側や右側に流下しても、極力、レール部材３５の内レール部３５ａ上を転動させずに、遊技球Ｂを、円滑に、遊技領域１６Ａから排出させることができて、遊技領域１６Ａの下縁１６ｄ側に、複数（３個）の普通入賞口３０（３０１，３０２，３０３）を配設させていても、入賞しない遊技球Ｂを、円滑に、遊技領域１６Ａ外へ排出できるとともに、遊技領域１６Ａの下部エリア１６ｆに広いスペースを確保できる。
【０１０１】
４．
また、第２実施形態では、遊技領域１６Ａにおける左縁１６ａ側から下縁１６ｄ側にかけて、振分装置（入賞安定装置）２００を配設させて、センター役物装置１８の下方の下部エリア１６ｆが狭められる構成としている。しかし、振分装置２００の入賞期待流路２３７への入球を外した遊技球Ｂが、流下流路２１８，２２６，２３６から排出されても、複数の普通入賞口３０が遊技領域１６Ａの下縁１６ｄ側における内レール部３５ａに接触するように、遊技領域１６Ａの下縁１６ｄに沿って配置されていることから、第１始動口２２Ａへの入賞を期待できないものの、いずれかの普通入賞口３０１，３０２，３０３へ入賞することを期待でき、そして、入賞すれば、賞球を得られることから、楽しく遊技できる。
【０１０２】
Ｃ．変形例
１．
第２実施形態では、遊技領域１６Ａの下部エリア１６ｆを狭める占有部材として、振分装置２００を配設させているが、他に、クルーン装置、第２の画像表示部、始動入賞装置等の遊技領域１６，１６Ａの下部エリア１６ｆを狭めるような占有部材が配設される場合に、第１，２実施形態のように、普通入賞口３０を遊技領域１６Ａの下縁１６ｄに沿って配置させ、それらの普通入賞口３０の左右両側の少なくとも一方に、望ましくは、遊技球の流下する流れの上流側に、排出口３３を配設させれば、遊技領域１６，１６Ａの実質的なスペースを広く確保でき、そして、普通入賞口３０に入賞できるか、排出口３３に入球されるかを、一喜一憂しながら楽しく遊技できて、遊技の興趣を向上させることができる。
【０１０３】
２．
第１，２実施形態では、普通入賞口３０の左側に、排出口３３を隣接させ、普通入賞口３０の右側には、内レール部３５ａ上を転動して、隣の排出口３３，３２に入球するように構成したが、普通入賞口３０の右側に隣接させて排出口３３，３２を配設してもよい。
【０１０４】
３．
また、第１，２実施形態では、盤面壁部１２０Ｂに配設された普通入賞口３０に連なる入賞受口部１６１が、底壁部１６５を、内レール部３５ａと一体化されるように、レール部材３５における内レール部３５ａの上面３５ｄに接触させるように配設させたが、図２１〜２３に示すように、普通入賞口３０Ｂに連なる入賞受口部１６１Ｂを、内レール部３５ａの上面３５ｄから上方に離すように、配設させてもよい。但し、入賞受口部１６１Ｂと内レール部３５ａとの間は、遊技球Ｂが通らない隙間Ｈとして、内レール部３５ａ上の遊技球Ｂが、入賞受口部１６１Ｂの左側壁部１６３に当たって、排出口３３に入球できるように構成する必要がある。すなわち、このように構成しないと、遊技盤１５Ｂにおける遊技領域１６Ｂの下縁１６ｄ側を実質的に広く確保し難くなるからである。
【０１０５】
４．
さらに、排出口３３は、普通入賞口３０に隣接するばかりでなく、図２４に示すように、遊技領域１６に配置される遊技情報表示器５１に隣接して、配設されてもよい。
【０１０６】
５．
また、第１，２実施形態では、入賞口として、普通入賞口３０を例示したが、他の入賞口、例えば、始動口２２，２３や大入賞口２７を遊技領域１６，１６Ａ，１６Ｂの下縁１６ｄ側に配置させて、その入賞口の左右の少なくとも一方、望ましくは、遊技球の流下する流れの上流側に、若しくは、左右両側に、排出口を設けてもよい。
【０１０７】
すなわち、例えば、図２５に示すように、遊技領域１６の下縁１６ｄ側における普通入賞口２９と大入賞口２７Ａとの間で、大入賞口２７Ａの右側（遊技球の流下する流れの上流側）に隣接して、排出口３３Ａを設けてもよい。この場合には、例えば、開放中の開閉部材２６ｂに受け止められずにこぼれた遊技球Ｂ、あるいは、開閉部材２６ｂの閉鎖時における普通入賞口２９に入賞せずに流下した遊技球Ｂを、この排出口３３Ａにより、遊技領域１６から速やかに排出できる。
【０１０８】
６．
また、第２実施形態では、振分装置２００の第２振分部２２０や第３振分部２３０において、安定した１／３の確率で、遊技球をつぎの第３振分部２３０や入賞期待流路２３７に転動させる構成とした。しかし、安定した確率でなく、第２振分部２２０や第３振分部２３０の一方、あるいは、両方において、不確定要素を加味して、遊技球が入賞期待流路２３７に転動しないように構成してもよい。例えば、図２６に示す振分装置２００Ａのように、第２振分部２２０や第３振分部２３０に、遊技球Ｂの逃し口２４２を設けてもよい。逃し口２４２は、入賞期待流路２３７の後方を通過する流下流路２４４に連なっており、逃し口２４２に入球した遊技球Ｂは、流下流路２４４を経て、遊技領域１６Ａの下縁１６ｄ側に排出される。なお、逃し口２４２は、第２振分部２２０や第３振分部２３０の一方にだけ設けてもよい。
【符号の説明】
【０１０９】
１０，１０Ａ…（遊技機）パチンコ遊技機、
１６，１６Ａ，１６Ｂ…遊技領域、
２７Ａ…（入賞口）大入賞口、
３０…（入賞口）普通入賞口、
３３，３３Ａ…排出口、
Ｂ…遊技球。
【図１】
2016146973.tif 000003
【図２】
2016146973.tif 000004
【図３】
2016146973.tif 000005
【図４】
2016146973.tif 000006
【図５】
2016146973.tif 000007
【図６】
2016146973.tif 000008
【図７】
2016146973.tif 000009
【図８】
2016146973.tif 000010
【図９】
2016146973.tif 000011
【図１０】
2016146973.tif 000012
【図１１】
2016146973.tif 000013
【図１２】
2016146973.tif 000014
【図１３】
2016146973.tif 000015
【図１４】
2016146973.tif 000016
【図１５】
2016146973.tif 000017
【図１６】
2016146973.tif 000018
【図１７】
2016146973.tif 000019
【図１８】
2016146973.tif 000020
【図１９】
2016146973.tif 000021
【図２０】
2016146973.tif 000022
【図２１】
2016146973.tif 000023
【図２２】
2016146973.tif 000024
【図２３】
2016146973.tif 000025
【図２４】
2016146973.tif 000026
【図２５】
2016146973.tif 000027
【図２６】
2016146973.tif 000028